(57)【要約】【課題】  あらかじめ蓄積された配色パターンを選択するだけの簡単なワンタッチ操作で、彩色図面作成や配色変更が可能な彩色図面作成システム及びその方法の提供。【解決手段】  ＣＡＤで作成した図面に基づいて各部材の配色を設定し、前記設定された配色を、選択可能な二以上の配色パターンとして蓄積し、上記蓄積された二以上の配色パターンから一の配色パターンを選択し、前記選択された一の配色パターンにおいて設定された配色によって各部材の彩色を行うことにより、彩色図面を作成する。【選択図】  図２
2005157809.tif 000002
【特許請求の範囲】
【請求項１】
ＣＡＤにより作図した図面に彩色を施して彩色図面を作成す
るシステムであって、
ＣＡＤで作成した図面に基づいて各部材の配色を設定し、
前記設定された配色を、選択可能な二以上の配色パターンとして蓄積し、
上記蓄積された二以上の配色パターンから一の配色パターンを選択し、
前記選択された一の配色パターンにおいて設定された配色によって各部材の彩色を行うことにより、彩色図面を作成することを特徴とする彩色図面作成システム。
【請求項２】
ＣＡＤにより作図した図面に彩色を施して彩色図面を作成す
るシステムであって、
当該システムは、
ＣＡＤで作成した図面に基づいて、彩色情報において、各部材の色コードを定義する手段と、
前記定義された色コードに対して、色（ＲＧＢ）情報において、各色コードの塗色を設定する手段と、
上記定義された各部材の色コード及び前記設定された各色コードの塗色を、選択可能な二以上の配色パターンとして、蓄積する手段と、
前記蓄積された二以上の配色パターンから一の配色パターンを選択する手段と、
上記選択された一の配色パターンにおいて定義された各部材の色コード及び設定された各色コードの塗色によって各部材の彩色を行い、彩色図面を作成する手段と、
前記作成された彩色図面を表示する手段と、
上記表示された彩色図面を出力する手段と、
を有する彩色図面作成システム。
【請求項３】
ＣＡＤにより作図した図面に彩色を施して彩色図面を作成す
るシステムを機能させるためのプログラムであって、
コンピューターを、
ＣＡＤで作成した図面に基づいて、彩色情報において、各部材の色コードを定義する手段と、
前記定義された色コードに対して、色（ＲＧＢ）情報において、各色コードの塗色を設定する手段と、
上記定義された各部材の色コード及び前記設定された各色コードの塗色を、選択可能な二以上の配色パターンとして、蓄積する手段と、
前記蓄積された二以上の配色パターンから一の配色パターンを選択する手段と、
上記選択された一の配色パターンにおいて定義された各部材の色コード及び設定された各色コードの塗色によって各部材の彩色を行い、彩色図面を作成する手段と、
前記作成された彩色図面を表示する手段と、
上記表示された彩色図面を出力する手段として
機能させるための彩色図面作成プログラム。
【請求項４】
ＣＡＤで作成した図面に基づいて、彩色情報において、各部材の色コードを定義する手段と、
前記定義された色コードに対して、色（ＲＧＢ）情報において、各色コードの塗色を設定する手段と、
上記定義された各部材の色コード及び前記設定された各色コードの塗色を、選択可能な二以上の配色パターンとして、蓄積する手段と、
前記蓄積された二以上の配色パターンから一の配色パターンを選択する手段と、
上記選択された一の配色パターンにおいて定義された各部材の色コード及び設定された各色コードの塗色によって各部材の彩色を行い、彩色図面を作成する手段と、
前記作成された彩色図面を表示する手段と、
上記表示された彩色図面を出力する手段と、
配信先の配信要求に応じて配信する配信手段と、
を備えたことを特徴とする彩色図面作成プログラムを配信する配信サーバ装置。
【請求項５】
ＣＡＤにより作図した図面に彩色を施して彩色図面を作成す
る方法であって、
ＣＡＤで作成した図面に基づいて、彩色情報において、各部材の色コードを定義するステップと、
前記定義された色コードに対して、色（ＲＧＢ）情報において、各部材の塗色を設定するステップと、
上記定義された各部材の色コード及び前記設定された各色コードの塗色を、選択可能な二以上の配色パターンとして、蓄積するステップと、
前記蓄積された二以上の配色パターンから一の配色パターンを選択するステップと、
上記選択された一の配色パターンにおいて定義された各部材の色コード及び設定された各色コードの配色によって各部材の彩色を行い、彩色図面を作成するステップと、
前記作成された彩色図面を表示するステップと、
上記表示された彩色図面を出力するステップと，
を有する彩色図面作成方法。
【発明の詳細な説明】
【技術分野】
【０００１】
本発明は、ＣＡＤ（Computer Aided Design）を利用して作成された平面図、立面図等の図面への色付け（彩色）及び配色の変更を行う技術に関する。
【背景技術】
【０００２】
従来、ＣＡＤにより作図された平面図や立面図に彩色を施した彩色図面の作成といえば、作図された各領域・形状ごとに色を指定して、作図処理内でその色情報をもとに彩色図面を作成しており、配色の変更をする場合には、各領域を指示してその領域に対する変更色を指示するという操作を行っていた。
また、平面図等に彩色を施してプレゼンテーションに使用することは日常的に行われているが、彩色の目的は、間取りの把握、部屋の広さ、各部屋の位置関係等を理解しやすくすることに重きが置かれ、色の持つ心理的効果を利用して、図面をビジュアルデザインとして捉えたマインドイメージとして効果的に表現することはなされていない。
【０００３】
異なるイメージカテゴリのデザインパターンをあらかじめ登録しておくことで、デザインパターンを選択することによって平面図のデザイン変更を行うことを可能とし、平面図の各領域のデザインを個々に指示してデザイン変更を行うという操作手間を軽減しようとするものに、例えば、特許文献１がある。
【０００４】
【特許文献１】特開平１１−１７２９２８
【発明の開示】
【発明が解決しようとする課題】
【０００５】
しかしながら、上記のような彩色図面の配色を変更する方法によれば、個々の彩色領域をそれぞれ変更する必要があるため操作手間がかかり、しかもその配色変更は個々の部分に対するものであり、図面全体の配色バランスまでを考慮して配色変更を行うことは困難であった。
また、上記のように、色を付けて図面を見やすくすることが彩色の第一の目的とされることが多いため、彩色の色は決まった色となりがちで、それにより彩色図面のイメージも画一的なものとなって、顧客への訴求に欠けるものであった。
【０００６】
一方、特許文献１によれば、一のイメージカテゴリの中で構成部材を個々に選択してデザイン変更することは可能であるが、図面全体の配色バランスを考慮しながら簡単な操作で配色変更のみを行うことはできない。
【０００７】
そこで本願は、平面図等の彩色図面をビジュアルデザインとして捉えてトータル的な完成度を重視し、あらかじめ蓄積されている配色パターンを選択するだけの簡単なワンタッチ操作で、彩色図面の配色を変更することを可能とするシステムを開発したものである。
【課題を解決するための手段】
【０００８】
上記の課題を解決するために、請求項１記載の彩色図面作成システムは、Ｃ
ＡＤにより作図した図面に彩色を施して彩色図面を作成するシステムであって、
ＣＡＤで作成した図面に基づいて各部材の配色を設定し、前記設定された配色を、選択可能な二以上の配色パターンとして蓄積し、上記蓄積された二以上の配色パターンから一の配色パターンを選択し、前記選択された一の配色パターンにおいて設定された配色によって各部材の彩色を行うことにより、彩色図面を作成することを要旨とする。
【０００９】
また請求項２記載の彩色図面作成システムは、ＣＡＤにより作図した図面に彩色を施して彩色図面を作成するシステムであって、当該システムは、ＣＡＤで作成した図面に基づいて、彩色情報において、各部材の色コードを定義する手段と、前記定義された色コードに対して、色（ＲＧＢ）情報において、各色コードの塗色を設定する手段と、上記定義された各部材の色コード及び前記設定された各色コードの塗色を、選択可能な二以上の配色パターンとして、蓄積する手段と、前記蓄積された二以上の配色パターンから一の配色パターンを選択する手段と、上記選択された一の配色パターンにおいて定義された各部材の色コード及び設定された各色コードの塗色によって各部材の彩色を行い、彩色図面を作成する手段と、前記作成された彩色図面を表示する手段と、上記表示された彩色図面を出力する手段と、を有することを要旨とする。
【００１０】
また、請求項３記載の彩色図面作成プログラムは、ＣＡＤにより作図した図
面に彩色を施して彩色図面を作成するシステムを機能させるためのプログラムであって、コンピューターを、ＣＡＤで作成した図面に基づいて、彩色情報において、各部材の色コードを定義する手段と、前記定義された色コードに対して、色（ＲＧＢ）情報において、各色コードの塗色を設定する手段と、上記定義された各部材の色コード及び前記設定された各色コードの塗色を、選択可能な二以上の配色パターンとして、蓄積する手段と、前記蓄積された二以上の配色パターンから一の配色パターンを選択する手段と、上記選択された一の配色パターンにおいて定義された各部材の色コード及び設定された各色コードの塗色によって各部材の彩色を行い、彩色図面を作成する手段と、前記作成された彩色図面を表示する手段と、上記表示された彩色図面を出力する手段として
機能させることを要旨とする。
【００１１】
また、請求項４記載の彩色図面作成プログラムを配信する配信サーバ装置  は、ＣＡＤで作成した図面に基づいて、彩色情報において、各部材の色コードを定義する手段と、前記定義された色コードに対して、色（ＲＧＢ）情報において、各色コードの塗色を設定する手段と、上記定義された各部材の色コード及び前記設定された各色コードの塗色を、選択可能な二以上の配色パターンとして、蓄積する手段と、前記蓄積された二以上の配色パターンから一の配色パターンを選択する手段と、上記選択された一の配色パターンにおいて定義された各部材の色コード及び設定された各色コードの塗色によって各部材の彩色を行い、彩色図面を作成する手段と、前記作成された彩色図面を表示する手段と、
上記表示された彩色図面を出力する手段と、配信先の配信要求に応じて配信する配信手段と、を備えたこと要旨とする。
【００１２】
また、請求項５記載の彩色図面作成方法は、ＣＡＤにより作図した図面に彩色を施して彩色図面を作成する方法であって、ＣＡＤで作成した図面に基づいて、彩色情報において、各部材の色コードを定義するステップと、前記定義された色コードに対して、色（ＲＧＢ）情報において、各部材の塗色を設定するステップと、上記定義された各部材の色コード及び前記設定された各色コードの塗色を、選択可能な二以上の配色パターンとして、蓄積するステップと、前記蓄積された二以上の配色パターンから一の配色パターンを選択するステップと、上記選択された一の配色パターンにおいて定義された各部材の色コード及び設定された各色コードの配色によって各部材の彩色を行い、彩色図面を作成するステップと、前記作成された彩色図面を表示するステップと、上記表示された彩色図面を出力するステップと、を有することを要旨とする。
【発明の効果】
【００１３】
本発明によれば、ＣＡＤにより作成した図面に彩色を施した彩色図面の配色を変更したい場合に、各部材の領域を指定してその領域に対する変更色を指示するという手間のかかる操作を行うことなく、彩色図面の配色変更を行うことができる。異なる配色パターンの彩色図面を複数作成したい場合であっても、あらかじめ蓄積された配色パターンの中から配色パターンを選択するだけという簡易な操作によって、複数の異なる配色の彩色図面を容易に作成することが可能となり、彩色図面を作成するオペレーター等にとって、大幅な操作性の向上が図られる。
【００１４】
また、あらかじめ彩色図面全体の配色バランスを考慮した配色設定を行い、その配色設定による配色パターンを蓄積しておくことが可能となる。したがって、あらかじめ蓄積された配色パターンの中から配色パターンを選択するだけで全体の配色バランスを考慮した彩色図面の作成を行うことができ、個々の領域について順次配色変更を行い、その都度図面全体の配色バランスを考慮する、という従来の方法に比べ、プレゼンテーション効果の高い図面を非常に迅速に作成することができるものである。
【００１５】
さらに、簡易な操作で複数の異なる配色パターンの彩色図面を迅速に作成することができるため、顧客の年齢や嗜好等によって、個々の顧客に的確かつ迅速に対応した彩色図面を作成して提示することができ、これまでプレゼンテーションが嗜好にマッチしないために住宅購入を踏みとどまっていた者を住宅市場にとりこむことで、潜在的な住宅需要を喚起することが可能となる。
【発明を実施するための最良の形態】
【００１６】
図１は本発明の彩色図面作成システムの構成図である。請求項に記載された本発明に係るシステムは、この図に示すように、システムを制御するプログラムされた主制御部（１）に記憶装置（２）が接続され、当該主制御部（１）にはキーボードやマウス等のポインティングデバイスからなる入力装置（３）、入力データのモニタリングや作成された彩色図面を表示する表示装置（４）、作成された彩色図面を出力する出力装置（５）が接続されている。
【００１７】
主制御部（１）にはＯＳ（Operating system）等の制御プログラムと、本発明に係るプログラムを機能させる各種手段の他、当該手段の処理手順を規定したプログラム及びシステムを稼動させるために必要となる諸手段が格納されている。
また、その他、各種データの一時蓄積のための内部メモリや、コンピュータシステムを稼動させ、前記プログラムを実行させる上で必要なハードウエアやソフトウエアなどの構成要件は当然有するものとする。
【００１８】
なお、本システムは上記の構成に限られるものでなく、他の既知の構成によってもよい。即ち、ＣＤ−ＲＯＭ等のコンピュータ読み取り可能な記録媒体に本システムに係るプログラムやファイル等を記録して、他のコンピュータにインストールして利用できるほか、配信サーバ装置を利用し、配信先の配信要求に応じて、ネットワークを介し、他のコンピュータのメモリへ、本システムに係るプログラムやファイル等ダウンロードしたり、また、機能のみを利用させたりすることとしても良い。
【００１９】
彩色図面の作成に先立ち、彩色処理が施される前の状態の図面が、本システムの有するＣＡＤ機能により作成される。作成されるＣＡＤ図面は、彩色の対象となるものであり、平面図、立面図、外観パース図、内観パース図、断面図等、彩色の効果を発揮するものであれば図面の種類は問わない。
【００２０】
請求項２乃至請求項５に記載の「彩色情報」、「色（ＲＧＢ）情報」とは、ＣＡＤにより作成された図面が作図情報の中に有する、図面の彩色に関しての情報である。「彩色情報」とは、図面の各部材にそれぞれ他の部材と識別可能なようにそれぞれ付される、色コード等の識別番号についての情報をいう。また、「色（ＲＧＢ）情報」とは、上記識別番号にどのような色を付与するかについての情報をいう。例えば、「彩色情報」において、「芝生」の部材に色コード「１０００１」が付され、「色（ＲＧＢ）情報」において、色コード「１０００１」に対して「シーグリーン」という塗色が設定がされていれば、ＣＡＤ図面は、図面中の「芝生」の部材が「シーグリーン」で彩色される、という情報を作図情報の中に有していることとなる。
【００２１】
このようにして、各部材をどのように彩色し、図面全体としてはどのように彩色するか、という配色の設定を行い、設定された配色についての情報を一の配色パターンとして、記憶装置（２）に蓄積する。同様にして、この配色とは異なる１以上の配色の設定を行い、他の配色パターンとして記憶装置（２）に蓄積する。これにより、記憶装置（２）には異なった配色パターンが２以上蓄積されることとなる。配色パターンの記憶装置（２）への蓄積は、配色パターンごとに行ってもよいし、すべての配色パターンの配色設定終了後に一括して行ってもよい。
配色の設定は、図４のように、あらかじめ配色パターンと各部材の配色を決めておき、それに基づいて配色を設定することとしてもよいし、個々の図面に応じて配色を設定することとしてもよい。
【００２２】
ＣＡＤ図面に彩色を施した彩色図面の作成は、蓄積された配色パターンの中から一の配色パターンを選択することによって自動的に行われる。上記のように２以上の異なった配色パターンが蓄積されているため、作成された彩色図面を用いてどのような顧客に対してプレゼンテーションを行うか等によって希望の配色パターンを選択する。配色パターンの選択は入力装置（３）の操作によって簡易に行うことができる。
【００２３】
配色パターンが選択されると、当該配色パターンにおいて設定された配色についての情報、すなわち、彩色情報と色（ＲＧＢ）情報により、図面における各部材があらかじめ設定してあった配色で自動的に彩色され、選択した配色パターンについての彩色図面が作成される。
作成された彩色図面は、表示装置（４）に表示され、さらに、表示された彩色図面は出力装置（５）によって出力することも可能である。
【００２４】
なお、配色パターンの選択により自動的に作成された彩色図面において、各部材の色コードに対する塗色の設定を変更することで、各部材の色を個別に変更することも可能である。
【実施例１】
【００２５】
本発明の第１の実施例を図１〜図６に基づいて説明する。
本実施例は、ＣＡＤにより作成された平面図について、配色パターンを選択することにより、彩色図面を作成する技術に関するものである。
【００２６】
図１は彩色図面作成システムの構成を示す図、図２は処理の流れを示すフロー図、図３（ａ）は彩色情報における色コードの定義状況を示す図、図３（ｂ）は色（ＲＧＢ）情報において塗色の設定状況を示す図、図４は配色パターンごとの配色設定の例を示す図、図５（ａ）は配色パターンの選択画面を示す図、図５（ｂ）は配色パターンの選択状況を示す図、図６（ａ）は配色パターン「オリジナル」の彩色図面作成結果のイメージを示す図、図６（ｂ）はその他の配色パターンの彩色図面作成結果のイメージを示す図である。
【００２７】
図中、（１）は主制御部、（２）は記憶装置、（３）は入力装置、（４）は表示装置、（５）は出力装置、である。
【００２８】
彩色図面の作成に先立って、彩色処理が施される前の状態の平面図（図面Ｘ‐0）が、本システムの有するＣＡＤ機能により、作成される（Ｓ201）。
作成された図面Ｘ‐0について、次のようにして配色の設定（Ｓ202）が行われる。図面Ｘ‐0の作図情報の中の彩色情報において、各部材の領域ごとに色コードが定義される。例えば、図３（ａ）に示すように、部材名「芝生」に対しては色コード「１０００１」、部材名「フローリング」に対しては色コード「２０００１」、のように定義される。
さらに、定義された色コードに対して、図面Ｘ−０の色（ＲＧＢ）情報において、塗色を設定する。例えば、図３（ｂ）に示すように、色コード「１０００１」に対しては「シーグリーン」、色コード「２０００１」に対しては「ベージュ」、というように各色コードに彩色したい色を設定する。その他の、植栽、テラス、畳、水廻り、家具等、図面Ｘ−０において彩色を施したい部材についても、彩色情報において色コードを定義し、色（ＲＧＢ）情報において塗色を設定する。
【００２９】
このようにして各部材に定義された色コード及び各色コードに設定された塗色によって図面全体の配色が設定される。この配色設定を行ったものを一の配色パターンとして作成し、同様にして、異なる配色設定の配色パターンを数パターン作成する。この際に、全体として異なる配色イメージとなるように部材ごとの配色の組み合わせを変えた配色パターンをあらかじめ用意しておき、これに基づいて配色パターンごとに配色設定を行う。本実施例においては、図４に示すように、配色パターンとして例えば、ベーシックな彩色のイメージとして「オリジナル」、素材感を生かした明るいイメージとして「ナチュラル」、斬新で洗練されたイメージとして「クリア」、シンプルでクールなイメージとして「クールカジュアル」、他の図との対比がはっきりする色合いのイメージとして「モノトーン」を用意している。それぞれのパターンごとに、芝生、フローリング等の各部材の配色が設定されているので、これに基づいてパターンごとに各部材に色コードを定義し、各色コードの塗色を設定する。配色パターンは、間取りの把握・部屋の広さ・各部屋の位置関係などを把握するという本来の役割を損なわず、かつ、色が心理面に与える効果（イメージ・デザインテイスト）の異なるものをラインアップする。
【００３０】
配色設定された各々の配色パターンは、記憶装置（２）に蓄積される。本実施例においては、図４に示すように、「オリジナル」、「ナチュラル」、「クリア」、「クールカジュアル」、「モノトーン」、の５つの配色パターンが蓄積される。
【００３１】
蓄積された５つの配色パターンの中から任意に一の配色パターンを選択（Ｓ204）することによって、選択した配色パターンについての彩色図面が作成される（Ｓ205）。図５（ａ）に示すように、蓄積された配色パターンを選択する画面が表示されるので、図５（ｂ）に示すように、選択を希望する配色パターンにポインタを合わせてクリックすることによって、蓄積された５つの配色パターンから一の配色パターンを選択できる。
【００３２】
配色パターンが選択されると、選択された配色パターンの有する彩色情報、色（ＲＧＢ）情報により、図面Ｘ−0の各部材が、選択された配色パターンにおいてあらかじめ設定された配色で自動的に彩色され、彩色図面が作成される。例えば、配色パターンとして図４に示す「クリア」を選択した場合には、「芝生」は「薄い黄」、「フローリング」は「ローズ」、というようにあらかじめ「クリア」の配色パターンにおいて設定されていた色で各部材が彩色された図面が自動的に作成される。
【００３３】
本実施例においては、「オリジナル」、「ナチュラル」、「クリア」、「クールカジュアル」、「モノトーン」の５つの配色パターンから一の配色パターンをを選択すると、図６（ａ）（ｂ）のように、選択した配色パターンに応じた彩色図面がそれぞれ自動的に作成される。
作成された彩色図面は、画面等の表示装置（４）に表示される。さらに、表示された彩色図面は、プリンタ、プロッタ等の出力装置（５）によって、プリントアウト、プロットアウト等の出力ができる。
【００３４】
以上、本実施例によれば、異なるイメージを持つ配色パターンを数パターン登録しておき、彩色図面の作成時に配色パターンを選択するだけの簡単なワンタッチ操作で、平面図の配色を決めたり、変更したりすることができる。
【００３５】
配色パターンは、心理的な効果の異なるイメージのものがラインアップされているので、図面に様々な変化を付けた展開ができ、画一的なプレゼンテーションから脱却し、他の図・写真・文字（説明）とを合わせてトータル的に提案をデザインすることが可能になる。例えば、一枚のボード又は紙面において、彩色図面と写真を一緒に用いるときには、配色パターンとして「モノトーン」を選択することで、写真を引き立たせるような彩色図面を作成することができる。また、同じ「モノトーン」でも、ブラック、ダークグレー、セピア、インディゴ、シャルトルーズ、ドジャーブルー、ダークオレンジ、ディープピンク等の多様なカラー展開ができ、ダーク系のカラーは、クラシックなイメージや、シックなイメージを出したメインの平面図として使用したり、原色系のカラーは、写真中心のボードにキープラン（サブ）的に使用する等、用途に応じたプレゼンテーションが可能となる。
【００３６】
また、色が持つ特性のうち心理的な要素を生かして、異なるイメージを持つ配色パターンを複数蓄積しておくことで、顧客の嗜好性を幅広くカバーするデザインテイストの展開が可能となる。ニーズ、ライフスタイル、嗜好が多様化する現代の顧客に対しては、最適にデザインされたビジュアル的な図面でプレゼンテーションを行うことによって、幅広く訴求することができ、プレゼンテーションの目的の一つである顧客の心を的確につかむという面から、営業活動に多大な貢献ができる。
【実施例２】
【００３７】
本発明の第２の実施例を図２、図６（ａ）、図７を参照しながら説明する。
本実施例は、ＣＡＤにより作成された平面図について、配色パターンを選択することにより作成された彩色図面の一部の部材の配色を変更する技術に関するものである。
【００３８】
図２は処理の流れを示すフロー図、図６（ａ）は配色パターン「オリジナル」の彩色図面作成結果のイメージを示す図、図７は実施例２に係る部材の塗色変更状況を示す図である。
【００３９】
彩色処理が施される前の状態の平面図の作成（Ｓ201）、各部材の色コードの定義及び各色コードの塗色の設定（Ｓ202）、配色パターンの蓄積（Ｓ203）までは、前述の実施例１と同様である。
本実施例においては、配色パターンの選択（Ｓ204）において、配色パターン「オリジナル」を選択し、彩色図面が自動的に作成（Ｓ205）され、図６（ａ）に示すような彩色図面が画面に表示（Ｓ206）されているものとする。また、配色パターン「オリジナル」における配色設定において、部材「車」の色コードに対する塗色があらかじめ「赤」で設定されていたものとする。
【００４０】
自動的に作成された彩色図面（図６（ａ））においては、部材「車」は「赤」で彩色されている。
この場合に、図７に示すように、部材「車」の色コードに対する塗色の設定を「赤」から「白」に変更することで、自動的に作成された彩色図面の「車」の色を「赤」から「白」に変更することが可能である。
さらに、部材「車」の配色を変更した彩色図面を出力（Ｓ207）することができるのは、実施例１と同様である。
【００４１】
以上、本実施例によれば、異なるイメージを持つ配色パターンの選択により彩色図面の作成、配色の変更が簡単にできるのみならず、選択した配色パターンの各部材の配色を個別に変更することができる。したがって、配色パターンの選択により彩色図面を作成してみて、部材の色を変更したい箇所が生じた場合にでも、変更したい部材のみを配色変更することができ、彩色図面を作成するオペレーター等にとって、あらかじめ蓄積された配色パターンに拘泥されずに幅広いカラーリングの展開が可能となる。
【００４２】
さらに、例えば、あらかじめ蓄積された配色パターンにより作成された彩色図面の「車」の色は「赤」であるが顧客の所有する車の色は実際には「白」である、といった場合にでも、作成された彩色図面の「車」の色だけを「白」に変更することができ、図面全体の配色バランスを保ちつつ、個々の顧客に対応した柔軟なプレゼンテーションが可能となる。
【産業上の利用可能性】
【００４３】
ＣＡＤで作成した図面に基づいて各部材の配色を設定し、蓄積された配色パ
ターンを選択することによって、彩色図面を作成するシステム及びその方法は、
作成されるＣＡＤ図面が平面図である場合のみならず、立面図、外観パース図、内観パース図、断面図等、彩色してプレゼンテーションを行うあらゆる図面について実施できるものである。
また、配色パターンの選択については、顧客の年齢、嗜好等と連動して、顧客にフィットする配色パターンを自動的に選択するシステムを提供することも可能である。
【図面の簡単な説明】
【００４４】
【図１】彩色図面作成システムの構成を示す図
【図２】処理の流れを示すフロー図
【図３】（ａ）  彩色情報における色コードの定義状況を示す図    （ｂ）  色（ＲＧＢ）情報において塗色の設定状況を示す図
【図４】配色パターンごとの配色設定の例を示す図
【図５】（ａ）  配色パターンの選択画面を示す図    （ｂ）  配色パターンの選択状況を示す図
【図６】（ａ）  配色パターン「オリジナル」の彩色図面作成結果のイメージを示す図    （ｂ）  その他の配色パターンの彩色図面作成結果のイメージを示す図
【図７】実施例２に係る部材の塗色変更状況を示す図
【符号の説明】
【００４５】
１  主制御部
２  記憶装置
３  入力装置
４  表示装置
５  出力装置
【図１】
2005157809.tif 000003
【図２】
2005157809.tif 000004
【図３】
2005157809.tif 000005
【図４】
2005157809.tif 000006
【図５】
2005157809.tif 000007
【図７】
2005157809.tif 000008
【図６】
2005157809.tif 000009